(57)【要約】【課題】  排水性舗装道路に適した施工性且つ集排水性の優れた側溝用ブロックを提供する。【解決手段】  道路に埋設される側溝用ブロックにおいて、内部に長手方向にわたる排水路３を有するブロック本体２の長手方向の少なくとも一接続端面７に、パッキン材８を排水路３の上部又は上部の一部を除く周囲を囲んで配するとともに、その両端部８ａを外方に湾曲又は屈曲させてブロック本体２の両側壁４上部に延設する。【選択図】  図１
2005133538.tif 000002
【特許請求の範囲】
【請求項１】
道路に埋設される側溝用ブロックにおいて、内部に長手方向にわたる排水路（３）を有するブロック本体（２）の長手方向の少なくとも一接続端面（７）に、パッキン材（８）を排水路（３）の上部又は上部の一部を除く周囲を囲んで配するとともに、その両端部（８ａ）を外方に湾曲又は屈曲させてブロック本体（２）の両側壁（４）上部に延設した側溝用ブロック。
【発明の詳細な説明】
【技術分野】
【０００１】  本発明は道路に埋設される側溝用ブロックに関するものであり、さらに詳しくは、排水性舗装道路において、舗装材内に滞留した雨水等の浸透水を効率的に集排水しうる側溝用ブロックに関するものである。
【背景技術】
【０００２】  一般に、舗装道路の路肩又は側帯（以下、側端部）には、主として降雨による表面水を路面から排水するための施設、更に詳しくは、箱型で暗渠状又は開渠状等の側溝用ブロック（内部に排水路を有する）が、その長手方向の接続端面を突き合わせて道路縦断方向に多数連結されるとともに、その全部を路面に埋設して設けられている。又、上記表面水の排水構造は、道路の横断勾配によりその側端部側に向かって流れる路面上の表面水を、道路の側端部において道路縦断方向に向け勾配が付された上記排水施設によって処理するものである。【０００３】  しかして、その上面を集積せる表面水の流水部となす暗渠状の側溝用ブロックによる排水施設では、側端部に所定間隔をおいて設けた格子状等の落下穴を有する蓋付きブロック（以下、雨水ます）の落下穴から集積せる表面水を排水し、上記側溝用ブロックにあっては内在せる排水路内に流下、排水されるようになされている。【０００４】  ところで、近年、舗装道路においては、路面に降雨した雨水等を迅速に排除するために、不透水層の上に排水機能層を設け、上記雨水等を排水機能層に素早く浸透させて路面冠水を防止する所謂排水性舗装が行われるようになってきた。
しかし、該排水性舗装道路の側端部に上記従来の排水構造を採用しても、雨水等が不透水層の上側に滞留して速やかに路面下に浸透しないため、折角排水性舗装を施してもその排水処理が不十分となっていた。【０００５】  又、上記排水性舗装道路における問題を解決するため、合成繊維糸を編み込んだメッシュ状の透水パイプやスプリングメッシュ製の透水パイプを上記道路の排水機能層に敷設し不透水層の上側に滞留した雨水等を透水パイプで集水して側溝用ブロック内の排水路に排水したり、或いは側溝用ブロックの側壁に横溝を穿設し、該横溝とブロック内の排水路を連通する排水孔を設け（又、横溝内に上記透水パイプを挿入し）、かかる横溝を上記道路の排水機能層に位置させ、不透水層の上側に滞留した雨水等を横溝（又は透水パイプ）で集水して排水孔を介して側溝用ブロック内の排水路に排水するものが知られている。
【発明の開示】
【発明が解決しようとする課題】
【０００６】  しかしながら、上記透水パイプを排水性舗装道路の排水機能層に敷設する場合は、排水性舗装の前に予め透水パイプを位置決め、固定する等して敷設しておく必要があり、施工が複雑で手間がかかるとともに、舗装層の転圧時や道路改修に伴う開削時に透水パイプが破損しやすく施工性に問題点があった。
又、上記側壁に横溝を設けた側溝用ブロックや、かかる横溝内に透水パイプを挿入した側溝用ブロックは、横溝内に舗装材が詰まり、或いは透水パイプを詰めるために、折角の横溝が排水路として機能しないとともに、透水パイプを用いるものは、舗装材によってパイプの透孔が目詰まりしてその集水性が不十分となる上に、通水部たる内腔がメッシュ状若しくはスプリング状を形成する断続した透孔で凹凸起伏状となるために、通水部における粗度係数が大となって通水が流れ難く、更に、透水パイプ全体に多数の透孔を設けてなるために、折角パイプ内に流入した雨水等が排水機能層側へ再流出し、水路としての機能を発揮し難いという問題点があった。【０００７】  即ち、側溝用ブロックにあっては、上記のように排水性舗装道路用のものがあるが、未だ施工性や集排水性が必ずしも十分とはいえず、排水性舗装道路に適した施工性且つ集排水性の優れたブロックが要望されていた。
本発明はかかる現状に鑑みてなされたもので、排水性舗装道路に適した施工性且つ集排水性の優れた側溝用ブロックを提供することを課題としている。
【課題を解決するための手段】
【０００８】  上記課題を解決するため、本発明の側溝用ブロックは、道路に埋設される側溝用ブロックにおいて、内部に長手方向にわたる排水路３を有するブロック本体２の長手方向の少なくとも一接続端面７に、パッキン材８を排水路３の上部又は上部の一部を除く周囲を囲んで配するとともに、その両端部８ａを外方に湾曲又は屈曲させてブロック本体２の両側壁４上部に延設したものである。
【発明の効果】
【０００９】  本発明の側溝用ブロックは、ブロック本体の長手方向の少なくとも一接続端面に、パッキン材を排水路の上部又は上部の一部を除く周囲を囲んで配するとともに、その両端部を外方に湾曲又は屈曲させてブロック本体の両側壁上部に延設したために、長手方向に隣接するブロック本体の連結時に、その接続端面を突き合わせ、該接続端面間にパッキン材を挟圧して連通すべき排水路間での漏水防止を図るとともに、パッキン材の介在によって接続端面間においてパッキン材の上側に流入用隙間を形成することができる。
従って、その施工はパッキン材の端部が排水性舗装道路の排水機能層と不透水層の境界付近に位置するべくブロック本体を連結して設置する簡単な作業でよく、上記パッキン材の端部上縁より上位に排水性舗装道路の境界が位置して舗装施工されれば、降雨等によって排水性舗装道路の不透水層の上側に滞留した浸透水を、ブロック本体の側壁に現出する上記流入用隙間から、又、不測の事態でブロック本体の上面上に越流した表面水等を、その上面側に現出する上記流入用隙間からパッキン材の上縁に沿って排水路内に確実に導き排水処理できる。【００１０】  更に、隣接するブロック本体間において、ブロック本体の熱変形、即ち、気温上昇に起因する長手方向への膨張伸びを上記流入用隙間とパッキン材で吸収、緩和できるので、隣接せるブロック相互を突き合わせてその継手部を目地モルタル等の結合材により一体化する従来の剛接合のように、ブロック本体の接続端面相互が競り合って端面破損を生じるようなことがない。
又、本発明の側溝用ブロックによれば、全層が不透水層からなる通常の道路舗装の側端部において、その上面を側こう（表面水の流水部）となす場合においても、上記と同様に、流入用隙間による上面間での排水処理機能及び接続端面間での端面破損防止機能を発揮するので、優れた集排水性から雨水ますの設置数を減じられるとともに、破損が伴わない安定した排水路が得られる。
【発明を実施するための最良の形態】
【００１１】  以下、図面を参照しながら本発明の実施形態について説明する。
図１は本発明の側溝用ブロックの一実施形態を示し、本実施形態の側溝用ブロック１は、横長状のコンクリート製ブロック本体２の内部に長手方向にわたる断面円形の排水路３を設け、ブロック本体２の上面１７に幅方向へ傾斜を付した暗渠型となされ、長手方向の一接続端面７に、パッキン材８を排水路３の上部を除く周囲を囲んで配するとともに、その両端部８ａを排水路３側に斜降状となすべく外方に湾曲させてブロック本体２の両側壁４上部に延設し、且つかかる両湾曲部８ｂ間の内法間隔を排水路３の幅（径）と略等しくしてなる。
又、ブロック本体２の両接続端面７には、その対角位置に隣接する他の側溝用ブロック１との連結に供するボルト孔１０を穿設している。
尚、上記パッキン材８は接続端面７に直付けされてなるが、パッキン材８を上記のように配すべくパッキン材８の添着形状に沿う取付用浅溝が接続端面７に凹設されて、パッキン材８のずれ防止、取り付け容易性、水密性等を図るようにしてもよい。【００１２】  本実施形態の側溝用ブロック１は、図２に示す如く、長手方向に隣接する他の側溝用ブロック１との接続に際し、そのパッキン材８を有する一接続端面７とこれを有しない他接続端面７とを突き合わせて接続端面７間に上記パッキン材８を挟着するとともに、相連通するボルト孔１０にボルト１４を挿通して連結することにより、接続端面７間でパッキン材８が挟圧されて相連通する排水路３間の漏水防止が図られ、しかも、同図（ロ）に示す如く、パッキン材８の介在によって接続端面７相互が当接せず、かかる接続端面７間においてパッキン材８の上側に流入用隙間１１が形成される。【００１３】  従って、上記側溝用ブロック１を全層が不透水層２２からなる通常の道路舗装の側端部に埋設した際には、接続端面７間の上部、即ち、ブロック本体２の上面１７どうしの突き合わせ部毎に表出する上記流入用隙間１１から上面１７上に集積されてその長手方向に流下する表面水Ｗ′を落下させるとともに、上方開環状のパッキン材８によって排水路３内に導き、排水することができるので（図２（ロ））、上記表面水を排水路３内に取り込むべく適宜間隔をおいて側溝用ブロック１間に介在させる雨水ますの設置数を減じられるという有益性がある。【００１４】  又、図３に示すように、ブロック本体２の一方の側壁４を排水性舗装道路２０に臨ませ、パッキン材８の一端部８ａの上縁が排水性舗装道路２０の排水機能層２１と不透水層２２の境界Ｘ付近に位置するべく設置された際には、降雨等によって不透水層２２の上側に滞留した浸透水Ｗを、排水機能層２１に臨む一方の側壁４に現出する上記流入用隙間１１から、又、不測の事態でブロック本体２の上面１７上に越流した表面水Ｗ′を、その上面１７間に表出する上記流入用隙間１１からパッキン材８の上縁に沿って速やか且つ確実に排水路３内に導き排水することができる。【００１５】  その際、パッキン材８の両端部８ａを排水路３側に斜降状となし、その両湾曲部８ｂ間の内法間隔を排水路３の幅（径）とほぼ等しくしたことから、上記浸透水Ｗや表面水Ｗ′を上記流入用隙間１１からパッキン材８の両端部８ａの上縁傾斜に沿わせるとともに、その両湾曲部８ｂで水切り滴下させて直接且つ速やかに排水路３内に流下して排水でき、排水効率をより一層向上させることができ好ましい。
更に、隣接する接続端面７間において、長手方向に多数連結されるブロック本体２の熱変形、即ち、気温上昇に伴って生じる長手方向への膨張伸びを上記流入用隙間１１とパッキン材８で吸収、緩和でき、接続端面７相互が競り合って端面破損を生じることがない。尚、上記側溝用ブロック１の接続端面７の外周縁には糸面７ａ（小面取り）が設けられて、流入用隙間１１の存在により相少許離隔せる上記外周縁の角カケを未然に防止しているが、必ずしもこの糸面７ａは設けなくてもよい。【００１６】  尚、本発明の側溝用ブロック１は、上記実施形態のものに限定されることなく、その各部の形状、構造等は本発明の意図する範囲内で適宜設計変更可能である。
例えば、側溝用ブロック１を構成するブロック本体２は、各種外郭形状の暗渠型の他、上面１７と排水路３を連通する狭幅の開口部がその上部に設けられた開渠型等であってもよく、その排水路３の流水断面形状も円形の他、卵形、だ円形、方形、多角形等種々の形状であってもよい。【００１７】  又、ブロック本体２の接続端面７に設けたパッキン材８についても、上記排水路３の上部又は上部の一部を除く周囲を囲んでその両端部８ａを外方に湾曲又は屈曲させてブロック本体２の両側壁４に延設すればよく、排水路３の流水断面形状に合わせて適宜形状に配すればよい。
更に、上記パッキン材８の端部８ａの先端も側壁４の付近に位置するべく延設されていれば側壁４と合致してもよいし、側壁４から突出又は控えていてもよい。又、パッキン材８はブロック本体２の長手方向の両接続端面７のうち、どちら側に設けてもよいし、或いは、両側に設けてもよい。
【図面の簡単な説明】
【００１８】
【図１】  本発明の側溝用ブロックの一実施形態を示し、（イ）は側面図、（ロ）は一部省略正面図。
【図２】  （イ）は図１の側溝用ブロックの連結状態を示す一部省略正面図、（ロ）は（イ）のＡ部拡大図。
【図３】  図１の側溝用ブロックの施工例を示すブロック連結部における断面図。
【符号の説明】
【００１９】  １  側溝用ブロック
２  ブロック本体
３  排水路
４  側壁
７  接続端面
８  パッキン材
８ａ  端部
８ｂ  湾曲又は屈曲部
１１  流入用隙間
１７  上面
２０  排水性舗装道路
２１  排水機能層
２２  不透水層
Ｘ  境界
【図１】
2005133538.tif 000003
【図２】
2005133538.tif 000004
【図３】
2005133538.tif 000005